(57)【要約】【課題】遊技機の種類等を変える際に、ＲＡＭとＣＰＵを再利用可能にすると共に、複数の制御基板のそれぞれに対応する複数のＲＯＭについて、交換や書き換えが簡単でメンテナンス作業が容易な遊技機を提供する。【解決手段】遊技制御プログラムを記憶したＲＯＭと、前記ＲＯＭの遊技制御プログラムを実行するＣＰＵと、前記ＣＰＵによる前記遊技制御プログラムの実行に伴い遊技に係わる情報を一時的に記憶するＲＡＭと、前記ＣＰＵと前記ＲＡＭが装着された複数の制御基板を備えた遊技機において、前記複数の制御基板のＣＰＵに対する複数の前記ＲＯＭを、前記複数の制御基板とは別体のＲＯＭ装着基板に集合させて装着し、前記ＲＯＭ装着基板を遊技機に対して着脱可能にした。【選択図】　　　　図２
2004113323.tif 000002
【特許請求の範囲】
【請求項１】
遊技制御プログラムを記憶したＲＯＭと、
前記ＲＯＭの遊技制御プログラムを実行するＣＰＵと、
前記ＣＰＵによる前記遊技制御プログラムの実行に伴い遊技に係わる情報を一時的に記憶するＲＡＭと、
前記ＣＰＵと前記ＲＡＭが装着された複数の制御基板を備えた遊技機において、
前記複数の制御基板のＣＰＵに対する複数の前記ＲＯＭを、前記複数の制御基板とは別体のＲＯＭ装着基板に集合させて装着したことを特徴とする遊技機。
【請求項２】
前記ＲＯＭ装着基板を遊技機に対して着脱可能としたことを特徴とする請求項１に記載の遊技機。
【請求項３】
前記ＲＯＭ装着基板には、前記ＣＰＵと前記ＲＡＭと前記ＲＯＭの中から前記ＲＯＭのみを装着したことを特徴とする請求項１又は２に記載の遊技機。
【請求項４】
前記ＲＯＭ装着基板は、ケース体と前記ケース体に被着されるカバー体とで構成されたＲＯＭ装着基板収納ボックスに収納されていることを特徴とする請求項１から３の何れか一項に記載の遊技機。
【請求項５】
前記ケース体と前記カバー体には、前記ケース体と前記ケース体に被着された前記カバー体とを結合し分離を妨げるための封止結合部が形成されると共に、前記ケース体と前記カバー体の少なくとも何れか一方の前記封止結合部は切断可能とされ、前記封止結合部同士による結合後は前記切断可能な封止結合部の切断によってのみ前記封止結合が解除可能に構成されていることを特徴とする請求項４に記載の遊技機。
【請求項６】
前記ＲＯＭ装着基板は前記制御基板と接続部材により電気的に接続され、前記接続部材には識別用符号の付いた札部材が取り付けられていることを特徴とする請求項１から５の何れか一項に記載の遊技機。
【請求項７】
前記接続部材に取り付けられた札部材は、尖った角の無い外周形状に形成されていることを特徴とする請求項６に記載の遊技機。
【請求項８】
前記複数の制御基板は、それぞれ制御基板用ケース体と前記制御基板用ケース体に被着される制御基板用カバー体とで構成された制御基板収納ボックスに収納されていることを特徴とする請求項１から７の何れか一項に記載の遊技機。
【請求項９】
前記ＲＯＭ装着基板が収納された前記ＲＯＭ装着基板収納ボックスと前記制御基板が収納された前記制御基板収納ボックスとが、互いに異なる色とされていることを特徴とする請求項８に記載の遊技機。
【発明の詳細な説明】
【０００１】
【発明の属する技術分野】
本発明は遊技機に関し、特には、遊技制御プログラムを記憶した複数のＲＯＭを、ＣＰＵとＲＡＭとは別体のＲＯＭ装着基板に集合させた遊技機に関する。
【０００２】
【従来の技術】
従来、パチンコ遊技機等の遊技機においては、遊技に関する複数の制御基板が前記遊技機の裏面側に配置され、前記制御基板同士が、若しくは前記制御基板と前記遊技機の裏側に配置された複数の電気的装置とが、接続部材によって電気的に接続されている。前記制御基板には、データの読み出し専用メモリであるＲＯＭと、データの読み出し及び書き込みが可能なメモリであるＲＡＭと、コンピュータの中心部を構成する処理装置であるＣＰＵ（中央演算処理装置）とが設けられている。
【０００３】
前記ＲＯＭと前記ＲＡＭと前記ＣＰＵの関係は、次のようになっている。すなわち、前記ＲＯＭには遊技制御プログラムが記憶され、前記ＲＯＭの遊技制御プログラムを前記ＣＰＵで実行し、前記遊技制御プログラムの実行に伴い遊技に係わる情報を前記ＲＡＭで一時的に記憶している。
【０００４】
従来の遊技機には、前記ＲＯＭと前記ＲＡＭと前記ＣＰＵがワンチップマイコンの中に内蔵されて制御基板に配置されたものがある。このような遊技機にあっては、遊技機の種類が変わる毎に制御基板を交換したり、前記ワンチップマイコンを制御基板から取り外して新しいワンチップマイコンを制御基板に取り付けたりしなければならない。
【０００５】
また、特定の制御基板におけるＲＯＭを複数種類の遊技機に共通使用可能な内容が格納されている共通ＲＯＭと、非共通可能な内容が格納されている非共通ＲＯＭとに分け、前記共通ＲＯＭ及びＣＰＵが一体となった集積回路を形成して、前記集積回路あるいは非共通ＲＯＭを差し替えることができるようにした遊技機が提案されている（特許文献１参照。）
【０００６】
【特許文献１】
特許第２７６９６８９号明細書（図１）
【０００７】
【発明が解決しようとする課題】
前記ＣＰＵ及びＲＡＭは遊技機の種類（遊技内容）が変わっても再利用可能であるが、前記のようにＲＯＭとＲＡＭ及びＣＰＵが一緒にワンチップマイコンの中に内蔵された遊技機にあっては、遊技機の種類が変わる毎に、ＲＯＭと共にＲＡＭ及びＣＰＵも一緒に取り替えられることになるため、無駄が多く、しかもワンチップマイコンの交換や制御基板の交換作業に手間がかかるという問題がある。
【０００８】
また、前記のように、特定の制御基板におけるＲＯＭを複数種類の遊技機に共通使用可能な内容が格納されている共通ＲＯＭと、非共通可能な内容が格納されている非共通ＲＯＭとに分け、前記共通ＲＯＭ及びＣＰＵが一体になった集積回路を形成して前記集積回路あるいは非共通ＲＯＭを差し替えることができるようにした遊技機にあっては、遊技機に設けられている他の制御基板についても、共通ＲＯＭと非共通ＲＯＭとに分けて、前記共通ＲＯＭとＣＰＵが一体になった集積回路を形成すると、前記共通ＲＯＭとＣＰＵが一体に形成された集積回路の数が多くなって、遊技機の種類変更時における集積回路等の交換作業やメンテナンスが面倒になる。さらに、遊技機の種類が変わっても使用可能なＲＡＭについても交換されることになるため、無駄が多くなる。
【０００９】
本発明は上記の問題点に鑑みてなされたものであって、遊技機の種類等を変える際に、ＲＡＭとＣＰＵを再利用可能にすると共に、複数の制御基板のそれぞれに対応する複数のＲＯＭについて、交換や書き換えが簡単でメンテナンス作業が容易な遊技機の提供を目的とする。
【００１０】
【課題を解決するための手段】
請求項１の発明は、遊技制御プログラムを記憶したＲＯＭと、前記ＲＯＭの遊技制御プログラムを実行するＣＰＵと、前記ＣＰＵによる前記遊技制御プログラムの実行に伴い遊技に係わる情報を一時的に記憶するＲＡＭと、前記ＣＰＵと前記ＲＡＭが装着された複数の制御基板を備えた遊技機において、前記複数の制御基板のＣＰＵに対する複数の前記ＲＯＭを、前記複数の制御基板とは別体のＲＯＭ装着基板に集合させて装着したことを特徴とする。
【００１１】
請求項２の発明は、請求項１において、前記ＲＯＭ装着基板を遊技機に対して着脱可能としたことを特徴とする。
【００１２】
請求項３の発明は、請求項１又は２において、前記ＲＯＭ装着基板には、前記ＣＰＵと前記ＲＡＭと前記ＲＯＭの中から前記ＲＯＭのみを装着したことを特徴とする。
【００１３】
請求項４の発明は、請求項１から３の何れか一項において、前記ＲＯＭ装着基板が、ケース体と前記ケース体に被着されるカバー体とで構成されたＲＯＭ装着基板収納ボックスに収納されていることを特徴とする。
【００１４】
請求項５の発明は、請求項４において、前記ケース体と前記カバー体には、前記ケース体と前記ケース体に被着された前記カバー体とを結合し分離を妨げるための封止結合部が形成されると共に、前記ケース体と前記カバー体の少なくとも何れか一方の前記封止結合部は切断可能とされ、前記封止結合部同士による結合後は前記切断可能な封止結合部の切断によってのみ前記封止結合が解除可能に構成されていることを特徴とする。
【００１５】
請求項６の発明は、請求項１から５の何れか一項において、前記ＲＯＭ装着基板が前記制御基板と接続部材により電気的に接続され、前記接続部材には識別用符号の付いた札部材が取り付けられていることを特徴とする。
【００１６】
請求項７の発明は、請求項６において、前記接続部材に取り付けられた札部材は、尖った角の無い外周形状に形成されていることを特徴とする。
【００１７】
請求項８の発明は、請求項１から７の何れか一項において、前記複数の制御基板が、それぞれ制御基板用ケース体と前記制御基板用ケース体に被着される制御基板用カバー体とで構成された制御基板収納ボックスに収納されていることを特徴とする。
【００１８】
請求項９の発明は、請求項８において、前記ＲＯＭ装着基板が収納された前記ＲＯＭ装着基板収納ボックスと前記制御基板が収納された前記制御基板収納ボックスとが、互いに異なる色とされていることを特徴とする。
【００１９】
【発明の実施の形態】
以下図面を用いて本発明の実施形態を説明する。図１は本発明の一実施例に係る遊技機の正面図、図２は同遊技機の制御系を簡略に示すブロック図、図３は同実施例に係る遊技機の背面図、図４は同遊技機におけるＲＡＭ装着基板の一例の概略平面図、図５は同実施例の接続部材を示す平面図、図６は同実施例の遊技機におけるＲＯＭ装着基板収納ボックスの斜視図、図７は図６のＲＯＭ装着基板収納ボックスにおける封止結合部の断面図、図８は図６のＲＯＭ装着基板収納ボックスの分解斜視図、図９は図６のＲＯＭ装着基板収納ボックスにおけるケース体の斜視図、図１０は図６のＲＯＭ装着基板収納ボックスにおけるカバー体の斜視図、図１１は制御基板収納ボックスの分解斜視図、図１２はＲＯＭ装着基板の他の実施例に係る概略平面図である。
【００２０】
図１に示す遊技機１０は、本発明の一実施例に係るパチンコ遊技機であり、前枠１１の背面に遊技盤１３が取り付けられ、その遊技盤１３を覆うガラス扉１５が前枠１１の前面側に開閉可能に取り付けられている。前記遊技盤１３の盤面１４には、各種入賞口１８、始動口１９、普通図柄始動ゲート２０が設けられている。そして、発射装置２５により遊技盤１３の盤面１４へ発射された遊技球が入賞口１８へ入球することにより、所定数の賞品球が払い出され、また前記発射された遊技球が始動口１９へ入球することにより、遊技盤１３上の特別図柄表示部１６で複数の特別図柄が変動し、その後に特定の図柄で停止することにより、大当たりとなるように構成されている。前記特別図柄表示部１６は、液晶、ドットマトリックス若しくはＬＥＤ表示装置等からなり、この実施例では液晶表示器からなる。なお、前記普通図柄始動ゲート２０に遊技球が入球すると、遊技盤１３上の普通図柄表示部１７で普通図柄が変動し、特定の図柄で停止することにより、小当たりとなって前記始動口１９が略Ｖ字形に拡開して入球し易くなる。図１における符号２３は遊技球を受ける上皿、２４は下皿、２６は発射レバー、２７はスピーカ、２８は遊技演出あるいは報知用ランプ、２９はカードユニット、１２は外枠である。
【００２１】
前記遊技機１０の裏面側、すなわち、前記前枠１１の裏面や、該前枠１１の裏面に取り付けられた基枠（図示せず）あるいは前記遊技盤１３等の裏面には、図２に示す遊技制御のためのＲＯＭ装着基板３０、主制御基板３１、表示制御基板３２、ランプ制御基板３３、音声制御板基板３４、払出制御基板３５およびその他の基板等が、図３に示すように取り付けられている。前記ＲＯＭ装着基板３０は、ＲＯＭ装着基板収納ボックス３０Ｃに収納された状態で、また前記主制御基板３１、表示制御基板３２、ランプ制御基板３３、音声制御板基板３４、払出制御基板３５はそれぞれ制御基板収納ボックス３１Ｃ，３２Ｃ，３３Ｃ，３４Ｃ，３５Ｃに収納された状態で、遊技機１０の裏面側に着脱可能に取り付けられている。なお、図３における符号３６は電源基板、３７は発射装置制御基板、３８は球貯留タンク、３９は誘導樋である。
【００２２】
前記ＲＯＭ装着基板３０には、前記複数の制御基板のための複数のＲＯＭが装着されている。この実施例では、前記ＲＯＭ装置基板３０と前記各制御基板３１〜３５の接続関係を示す図４のように、前記主制御基板３１のための主制御用プログラムを記憶した主制御基板用ＲＯＭ３１ａと、前記表示制御基板３２のための表示制御用プログラム及び図柄データを記憶した表示制御基板用ＲＯＭ３２ａと、前記ランプ制御基板３３のためのランプ制御用プログラムを記憶したランプ制御基板用ＲＯＭ３３ａと、前記音声制御基板３４のための音声制御用プログラム及び音声データを記憶した音声制御基板用ＲＯＭ３４ａと、前記払出制御基板３５のための払出制御用プログラムを記憶した払出制御基板用ＲＯＭ３５ａとよりなる５個のＲＯＭが集められて、前記ＲＯＭ装着基板３０に装着されている。また、前記ＲＯＭ装着基板３０には、図８に示すように前記各制御基板３１〜３５との接続用コネクタ３０１が設けられている。
【００２３】
前記ＲＯＭ装着基板３０は、前記各ＲＯＭ３１ａ〜３５ａと対応する前記制御基板３１〜３５に、図５に示すような配線ケーブル等の接続部材８１で着脱可能に接続されている。そのため、前記ＲＯＭ装着基板３０と前記各制御基板３１〜３５までの距離に応じた長さの接続部材８１を用いることによって、前記ＲＯＭ装着基板３０と前記各制御基板３１〜３５との間の位置関係における制約を少なくすることができる。さらに、前記ＲＯＭ装着基板３０や前記各制御基板３１〜３５の着脱作業時に、前記接続部材８１により前記ＲＯＭ装着基板３０と前記制御基板間に余裕を生じるので、着脱作業を容易に行うことができる。符号８２，８３は前記接続部材８１両端の接続用コネクタであり、接続相手に合わせて色が異ならせてある。例えば、前記主制御基板３１に設けられているコネクタ（図示せず）を赤、前記表示制御基板３２に設けられているコネクタ（図示せず）を青、前記ランプ制御基板３３に設けられているコネクタ（図示せず）を緑、前記音声制御基板３４に設けられているコネクタ（図示せず）を白、前記払出制御基板３５に設けられているコネクタ（図示せず）をピンクとし、また前記ＲＯＭ装着基板３０における対応するコネクタ（図８の符号３０１）も赤、青、緑、白、ピンクとし、さらに前記接続部材８１両端のコネクタ８２，８３の色を赤、青、緑、白、ピンクとした５本の接続部材を用意し、前記の色を合わせて前記接続部材８１のコネクタ８２，８３を前記ＲＯＭ装着基板３０及び各制御基板３１〜３５に接続すれば、前記接続を間違いなく、スムーズに行うことができる。
【００２４】
また、前記接続部材８１には、識別符号８４を印刷や刻印等で表面に表示したプラスチック板等からなる札部材８５が、紐あるいはクリップ等により着脱可能に取り付けられるのが好ましい。前記識別符号は、数字、文字、記号等からなり、前記接続部材８１の接続順序、接続相手等を示すのに使用される。例えば、前記主制御基板３１に接続される前記接続部材８１の札部材８４には前記識別符号８５として‘１’を付し、前記表示制御基板３２に接続される前記接続部材８１の札部材８４には前記識別符号８５として‘２’を付し、前記ランプ制御基板３３に接続される前記接続部材８１の札部材８４には前記識別符号８５として‘３’を付し、前記音声制御基板３４に接続される前記接続部材８１の札部材８４には前記識別符号８５として‘４’を付し、前記払出制御基板３５に接続される前記接続部材８１の札部材８４には前記識別符号として‘５’を付し、前記各札部材８４に付された識別符号８５の数字の順に、前記各制御基板３１〜３５の接続部材８１を前記ＲＯＭ装着基板３０の対応するコネクタに接続する。特に前記のように、前記識別符号８４を接続順序を示すものとすれば、前記接続部材８１同士が絡まったりするのを防ぐことができ、また、前記遊技機１０の組み立て時や前記ＲＯＭ装着基板３０の取り付け時に前記接続部材８１の絡み合いや捻れ等によって遊技機１０の裏側に無駄な空間を作ったり、前記接続部材８１が遊技機の裏側からはみ出したりするのを防ぐことができるようになる。
【００２５】
前記札部材８２は、尖った角の無い外周形状、例えばこの例のような楕円形状や、角が面取りされた三角形、四角形、五角形等の多角形形状や、先端が丸くされた星形状等とされるのが好ましい。前記札部材８２の外周形状を、尖った角の無い形状とすれば、前記ＲＯＭ装着基板３０の着脱時や前記遊技機１０の組み立て時等の際に、前記札部材８４が前記接続部材８１と接触しても接続部材８１を切断させるおそれがなくなり、安心して作業を行うことができる。
【００２６】
次に主要な制御基板について説明する。前記主制御基板３１は、前記ＲＯＭ装着基板３０の主制御基板用ＲＯＭ３１ａとの接続用コネクタを備え、前記主制御基板用ＲＯＭ３１ａに記憶されている主制御用プログラムを実行するＣＰＵと、該ＣＰＵのワーク用メモリとして機能するＲＡＭと、前記表示制御基板３２及び前記払出制御基板３５等を結ぶ入出力回路と、前記大入賞口１５への中継基板や前記ランプ制御基板３３及び前記音声制御基板３４、始動口センサやその他の入賞センサ類等を結ぶ入出力回路等で構成され、前記表示制御基板３２、前記ランプ制御基板３３、前記音声制御基板３４及び前記払出制御基板３５等への制御信号（コマンド）を送信する。前記ＣＰＵは、制御部、演算部、各種カウンタ、各種レジスタ、各種フラグ等を備え、演算処理を行う他、大当たりの発生確率や小当たりの発生確率を定める乱数等も生成している。また、前記ＲＡＭは、特別図柄変動開始の検出信号用記憶領域、普通図柄変動開始の検出信号用記憶領域、前記ＣＰＵで生成される各種乱数値用の記憶領域、各種データやフラグを一時的に記憶する記憶領域や、ＣＰＵの作業領域を備えている。
【００２７】
前記表示制御基板３２は、前記ＲＯＭ装着基板３０の表示制御基板用ＲＯＭ３２ａとの接続用コネクタを備え、前記表示制御基板用ＲＯＭ３２ａに記憶されている表示制御用プログラムを実行するＣＰＵと、該ＣＰＵのワーク用メモリとして機能するＲＡＭと、前記主制御基板３１とを結ぶ入力回路と、前記特別図柄表示部１６及び前記普通図柄表示部１７とを結ぶ出力回路等で構成され、前記特別図柄表示部１６及び普通図柄表示部１７での図柄の変動停止制御を行う。前記表示制御基板３２のＣＰＵは、制御部、演算部、各種カウンタ、各種レジスタ、各種フラグ等を備え、演算処理を行う。また前記表示制御基板３２のＲＡＭは、前記ＣＰＵの作業領域と図柄データの一時記憶領域等を有している。
【００２８】
前記ランプ制御基板３３は、前記ＲＯＭ装着基板３０のランプ制御基板用ＲＯＭ３３ａとの接続用コネクタを備え、前記ランプ制御基板用ＲＯＭ３３ａに記憶されているランプ制御用プログラムを実行するＣＰＵと、該ＣＰＵのワーク用メモリとして機能するＲＡＭと、前記主制御基板３１とを結ぶ入力回路（図示せず）及び前記遊技演出あるいは報知用ランプ２８とを結ぶ出力回路（図示せず）等で構成され、前記ランプ２８の発光、停止、点滅等を制御する。
【００２９】
前記音声制御基板３４は、前記ＲＯＭ装着基板３０の音声制御基板用ＲＯＭ３４ａとの接続用コネクタを備え、前記音声制御基板用ＲＯＭ３４ａに記憶されている音声制御用プログラムを実行するＣＰＵと、該ＣＰＵのワーク用メモリとして機能するＲＡＭと、前記主制御基板３１とを結ぶ入力回路（図示せず）及び前記スピーカ２７とを結ぶ出力回路（図示せず）等で構成され、前記スピーカ２７からの遊技演出用等の音声を制御する。
【００３０】
前記払出制御基板３５は、前記ＲＯＭ装着基板３０の払出制御基板用ＲＯＭ３５ａとの接続用コネクタを備え、前記払出御制御基板用ＲＯＭ３５ａに記憶されている払出制御用プログラムを実行するＣＰＵと、該ＣＰＵのワーク用メモリとして機能するＲＡＭと、前記主制御基板３１等とを結ぶ入力回路（図示せず）及び発射制御基板、賞球払出装置等とを結ぶ出力回路（図示せず）等で構成され、遊技球の発射や入賞時の賞球払出等を制御する。
【００３１】
前記ＲＯＭ装着基板３０が収納されるＲＯＭ装着基板収納ボックス３０Ｃは、図６〜図１０に示すように、アクリル樹脂等の透明樹脂からなるほぼ直方体形状の箱体からなり、前記遊技機１０の裏面側に固定されるケース体４１と、該ケース体４１に被着されるカバー体５７とで構成される。前記ＲＯＭ装着基板収納ボックス３０Ｃを透明とすることにより、前記ＲＯＭ装着基板収納ボックス３０Ｃを開けなくても、前記ＲＯＭ装着基板３０を確認することができるようになる。前記透明は、無色あるいは着色されたものの何れでもよく、透明性を有し前記ＲＯＭ装着基板収納ボックス３０外から内部が視認できるものであればよい。また、前記ＲＯＭ装着基板収納ボックス３０Ｃの一部を透明として、その他の部分を不透明にしてもよい。さらに、前記ＲＯＭ装着基板収納ボックス３０Ｃと前記制御基板収納ボックス３１Ｃ〜３５Ｃとの色を互いに異ならせるのが好ましい。そのようにすれば、前記ＲＯＭ装着基板収納ボックス３０Ｃを、前記各制御基板収納ボックス３１Ｃ〜３５Ｃと間違えることなく素早く見つけることができ、前記ＲＯＭ装着基板３０の交換等の作業が、一層容易、かつ迅速に行えるようになる。
【００３２】
前記ケース体４１は、前記カバー体５７と対向する側が開口した箱状のものからなり、図９からよりよく理解されるように、基板配置面４２とその周縁に立設された側面４３とで構成され、前記側面４３で包囲される基板配置面４２の内面４４に前記ＲＯＭ装着基板３０が収納配置される。前記基板配置面４２の内面４４には、一組の対角線上の隅に、基板位置決めピン４５が形成され、残る対角線上の隅には筒状突部４６が形成されている。前記筒状突部４６の両端は基板配置面４２の内面４４と外面４７（図７に示す）で開口し、前記筒状突部４６内に金属製ナットＮが嵌着されている。前記金属製ナットＮは両端が前記筒状突部４６の両端で開口し、前記基板配置面４２の内面４４側と外面４７側の両方からビスＶ１，Ｖ２が螺合可能になっている。なお、前記外面４７側にはシールド板Ｓが前記ビスＶ２で取り外し可能に固定される。
【００３３】
前記ＲＯＭ装着基板収納ボックス３０Ｃに収納される前記ＲＯＭ装着基板３０の四隅には、図８に示すように、取付孔ａが形成され、その取付孔ａのうち対向する一組の取付孔ａ１は前記ケース体４１の基板位置決めピン４５が挿入されて係止され、前記取付孔ａのうち残りの組の取付孔ａ２は前記ケース体４１の内側から前記筒状突部４６の金属製ナットＮに金属製ビスＶ１で固定される。
【００３４】
また、図９に示すように、前記基板配置面４２の内面４４には、前記側面４３のうち、一組の対向する側面４３ａ，４３ａからそれぞれ所要距離内側位置にケース体側封止結合部４８が形成されている。このケース体側封止結合部４８は、図７にも示すように、二つの平行な封止部材固定部品挟持用リブ４８ａ，４８ｂと、前記封止部材固定部品挟持用リブ４８ａ，４８ｂ間に挟持された封止部材固定部品４９とで構成されている。
【００３５】
前記封止部材固定部品挟持用リブ４８ａ，４８ｂには、長さ方向に沿って所定間隔で封止部材挿入孔ｈ１，ｈ２が形成され、また外側の封止部材固定部品挟持用リブ４８ａと前記ケース体４１の側面４３ａとの間がカバー体側封止結合部挿入空間４８ｃとされ、さらに前記側面４３ａの自由端は、前記封止部材挿入孔ｈ１，ｈ２と対応する位置にＵ字形状の切り欠き凹部４３ｂが形成され、後述する封止部材６５を封止部材挿入孔ｈ１等へ挿入する際にその挿入を妨げないようになっている。また、前記封止部材固定部品４９は、図７及び図８から理解されるように、金属製プレートからなり、前記封止部材固定部品挟持用リブ４８ａ，４８ｂに形成された封止部材挿入孔ｈ１，ｈ２と一直線となる位置に、封止部材係止孔ｈ３が星形状に打ち抜き形成されている。前記封止部材係止孔ｈ３は、前記封止部材固定部品挟持用リブ４８ａ、４８ｂの封止部材挿入孔ｈ１，ｈ２よりも小さく形成されて、後述の封止部材６５の外周に形成されている溝部６８に係止できるようにされると共に、前記係止後に前記封止部材６５を前記ＲＯＭ基板収納ボックス３０Ｃの外方へ引っ張っても、前記係止が解除されないよう、前記封止部材係止孔ｈ３の周縁が前記ケース体４１の内方へ傾斜している。
【００３６】
また、前記ケース体４１の側部には、前記遊技盤１３の裏側に形成されたフック（図示せず）に対する係止部４１ａと、前記遊技盤１３の裏側へのネジ止め部４１ｂと、前記カバー体５７の外面に対する係合爪４１ｃが形成されている。
【００３７】
前記カバー体５７は、前記ケース体４１と対向する側が開口した箱状のものからなり、図１０にも示すように、前記ケース体４１の開口部分に蓋をする蓋面５７ａとその周縁に立設された側面５７ｂとで構成され、前記側面５７ｂが前記ケース体４１における側面４３の内側に重なるようにして前記ケース体４１に被着される。また、前記カバー体５７における一組の対向する側面５７ｃ，５７ｃには、前記ケース体４１にカバー体５７が被着された際に前記ケース体４１の封止部材固定部品挟持用リブ４８ａと側面４３ａとの間のカバー体側封止結合部挿入空間４８ｃに挿入されるカバー体側封止結合部５８が形成されている。
【００３８】
前記カバー体側封止結合部５８は、板状片５９の中央に封止部材挿入孔６０が形成されたもので構成され、前記板状片５９の基部がくびれて細くなった切断用連結部６１とされ、前記切断用連結部６１の切断によりカバー体５７から板状片５９が切断可能になっている。また、前記カバー体側封止結合部５８は、前記ケース体側封止結合部４８の封止部材挿入孔ｈ１，ｈ２及び封止部材係止孔ｈ３と同数（この例では４個）、かつ間隔を合わせて複数形成されており、図７に示すように、前記ケース体４１に前記カバー体５７が被着された際に、前記カバー体側封止結合部５８の封止部材挿入孔６０と前記ケース体側封止結合部４８の封止部材挿入孔ｈ１，ｈ２及び封止部材係止孔ｈ３が一直線に位置するようになっている。
【００３９】
前記カバー体側封止結合部５８の封止部材挿入孔６０は、前記カバー体５７がケース体４１に被着された際に、図６に示すように、前記ケース体４１の側面４３ａにおける前記切り欠き凹部４３ｂに位置して外部に露出する。また、前記カバー体５７と前記ケース体４１の封止結合は、前記カバー体５７がケース体４１に被着され、前記ケース体４１における側壁４３ａの切り欠き凹部４３ｂで露出している前記カバー体側封止結合部５８の封止部材挿入孔６０の一つに、封止部材６５を挿入することにより行われる。前記封止部材６５は、軸部６６の一端に前記封止部材挿入孔６０の径よりも大径の拡大部６７が形成されたピン状からなり、前記軸部６６の先端側外周に溝部６８が形成されている。前記封止部材６５の溝部６８に、前記ケース体側封止結合部４８における前記封止部材固定部品４９の封止部材係止孔ｈ３の周縁が嵌合することによって、前記カバー体５７と前記ケース体４１が封止結合される。そして、前記封止部材６５が挿入されているカバー体側封止結合部５８における前記板状片５９の基部の切断用連結部６１を切断しない限り、前記カバー体５７と前記ケース体４１の封止結合が解除されなくなる。そのため、前記ＲＯＭ装着基板収納ボックス３０Ｃ内に収納されている前記ＲＯＭ装着基板３０の複数のＲＯＭ３１ａ〜３５ａに対する不正操作を防止することができ、また不正操作されたか否かが前記切断用連結部６１の切断有無により容易に判断できる。
【００４０】
なお、前記切断用連結部６１が切断されたカバー体側封止結合部５８は再使用できなくなるため、前記ＲＯＭ装着基板３０の交換や前記ＲＯＭ３１ａ〜３５ａの書き換え等の理由で前記カバー体５７と前記ケース体４１を分離し、その後閉じる場合には、前記複数のカバー体側封止結合部５８のうち、残っている未使用のものを順次使用して前記カバー体５７と前記ケース体４１の封止結合を行う。また、前記複数のカバー体側封止結合部５８において未使用のものについては、不正操作を目的とする針金等の挿入ができないように、前記封止部材挿入孔６０に孔塞ぎ用キャップ６２が取り外し自在に装着されている。さらに、前記封止部材６５は、前記封止部材固定部品４９の封止部材係止孔ｈ３の周縁が溝部６８に嵌合すると、前記封止部材係止孔ｈ３から抜けなくなって再使用できなくなる。そのため、この実施例では、前記ＲＯＭ装着基板３０の交換や前記ＲＯＭ３１ａ〜３５ａの書き換え等のために、前記カバー体５７と前記ケース体４１を開けた後の封止結合に用いる予備の封止部材６５ａが、前記カバー体５７の外面に分離可能に設けられている。
【００４１】
また、前記カバー体５７には、前記ＲＯＭ装着基板３０のコネクタ３０１と対応する位置にコネクタ用の孔５７１が形成され、前記接続部材８１のコネクタ８２，８３の一方が前記ＲＯＭ装着基板３０のコネクタ３０１に接続できるようになっている。
【００４２】
前記各制御基板３１〜３５が収納される前記制御基板収納ボックス３１Ｃ〜３５Ｃは、収納される制御基板に応じた寸法及び形状からなり、図１１に示す払出制御基板収納ボックス３５Ｃのように、それぞれ制御基板用ケース体９１と前記制御基板用ケース体９１に分離可能に被着される制御基板用カバー体９５とで構成され、前記制御基板用ケース体９１と前記制御基板用カバー体９５間にそれぞれ前記制御基板３１〜３５が収納されて、前記遊技盤１３の裏側にビスＶ３等で着脱可能にされる。前記制御基板用カバー体９５には、前記制御基板収納ボックス３１Ｃ〜３５Ｃに収納される前記制御基板３１〜３５のコネクタと対応する位置にコネクタ用孔９６が形成されている。符号Ｓ１はシールド板、９７は前記ケース体９１と前記カバー体９５との結合用金具である。
【００４３】
また、前記制御基板収納ボックス３１Ｃ〜３５Ｃは、前記ＲＯＭ装着基板収納ボックス３０Ｃと異なる色にして前記ＲＯＭ装着基板収納ボックス３０Ｃと区別できるようにするのが好ましい。さらに、前記制御基板収納ボックス３１Ｃ〜３５Ｃは、着色透明樹脂あるいは無色透明樹脂とし、または一部を透明として内部の制御基板３１〜３５を外部から視認できるようにするのが好ましい。
【００４４】
なお、本発明は前記実施例のものに限られるものではなく、本発明の趣旨を逸脱しない範囲で適宜変更が加えられてもよい。例えば、前記実施例ではＲＯＭ装着基板３０にＲＯＭを５個装着しているが、それに限るものではなく、他の個数にしてもよい。また前記ＲＯＭ装着基板３０に装着されるＲＯＭは、制御プログラムの記憶された制御ＲＯＭとデータが記憶されたデータＲＯＭとの２種類で構成してもよい。図１２に示すＲＯＭ装着基板３０１は、前記表示制御基板３２用に制御プログラムの記憶された制御ＲＯＭ３２１ａと、図柄データが記憶されたデータＲＯＭ３２１ｂを装着し、前記音声制御基板３４用には制御プログラムの記憶された制御ＲＯＭ３４１ａと、音声データが記憶されたデータＲＯＭ３４１ｂとを装着し、また前記主制御基板３１、前記ランプ制御基板３３、前記払出制御基板３５用には、それぞれ制御プログラムの記憶された制御ＲＯＭ３１１ａ、３３１ａ、３５１ａを装着したものである。勿論、制御プログラムのみが記憶された制御ＲＯＭ（例えば主制御基板用、ランプ制御基板用、払出制御基板用ＲＯＭ）のみをＲＯＭ装着基板に装着してもよい。
【００４５】
さらに、前記実施例においてＲＡＭとＣＰＵは、それぞれ単独で制御基板に取り付けられているが、ワンチップマイコンに内蔵された状態で制御基板に取り付けられるようにしてもよい。また、本発明は、パチンコ遊技機に限るものではなく、スロットマシン等、他の種類の遊技機にも適用される。
【００４６】
【発明の効果】
前記のように、請求項１に係る発明によれば、複数の制御基板のＣＰＵに対する複数のＲＯＭを、前記複数の制御基板とは別体のＲＯＭ装着基板に集合させて装着したため、遊技機種変更等の際にそのままでは再利用不可能なＲＯＭのみを、再利用可能なＲＡＭおよびＣＰＵから区別して交換したり書き換えたりするのが容易になり、メンテナンス作業の効率が良くなる。さらに、複数のＲＯＭをまとめてＲＯＭ装着基板に装着したため、不正防止の対策をＲＯＭ装着基板に対して集中的に行えばよく、不正防止が容易になる。
【００４７】
請求項２の発明によれば、前記ＲＯＭ装着基板を遊技機に対して着脱可能としたため、遊技機種の変更等毎に、新たなＲＯＭ装着基板に容易に交換することができ、またＲＯＭを書き換える場合にも遊技機から前記ＲＯＭ装着基板ごとＲＯＭを取り外して作業を行えるため、書き換え作業を容易に行うことができる。
【００４８】
請求項３の発明によれば、前記ＲＯＭ装着基板には、ＣＰＵとＲＡＭとＲＯＭの中から、遊技機種の変更等の際にそのままでは再利用不可能なＲＯＭのみを装着したため、前記ＲＯＭ装着基板に装着したＲＯＭのみの書き換えや交換で遊技機種の変更等に対応することができ、前記制御基板に装着されているＣＰＵとＲＡＭについては再利用することができるので、メンテナンス作業の効率が良くなる。
【００４９】
請求項４の発明によれば、前記ＲＯＭ装着基板は、ケース体と前記ケース体に被着されるカバー体とで構成されたＲＯＭ装着基板収納ボックスに収納されているため、前記ＲＯＭ装着基板収納ボックス内のＲＯＭ等に対する不正防止が可能になり、しかもＲＯＭ等を埃などから保護することができる。
【００５０】
請求項５の発明によれば、切断しなければ結合の解除されない封止結合部によって前記ＲＯＭ装着基板収納ボックスのケース体とカバー体が封止結合されているため、ケース体とカバー体を開いて行うＲＯＭ等への不正を防止することができ、また不正が行われた場合には前記封止結合部に切断跡が残るため、不正を容易に発見することができる。
【００５１】
請求項６の発明によれば、前記ＲＯＭ装着基板と前記制御基板を接続部材によって接続しているため、前記接続部材の長さ調節により、前記ＲＯＭ装着基板を自由な位置に配置することができ、しかも前記接続部材には識別用符号の付いた札部材を取り付けたため、前記識別符号にしたがって接続部材を接続すれば、素早く、かつ絡み合ったりすることなく接続作業を行うことができる。
【００５２】
請求項７の発明によれば、前記接続部材に取り付けられた札部材を、尖った角の無い外周形状に形成したため、遊技機の組み立てや前記ＲＯＭ装着基板の交換等の際に、前記札部材と前記接続部材との接触による接続部材の切断を防ぐことができ、前記切断を心配することなく作業を行えるようになり、作業性が向上する。
【００５３】
請求項８の発明によれば、前記複数の制御基板は、それぞれ制御基板用ケース体と前記制御基板用ケース体に被着される制御基板用カバー体とで構成された制御基板収納ボックスに収納されているため、前記制御基板を埃などから保護し、誤動作を防止することができる。
【００５４】
請求項９の発明によれば、前記ＲＯＭ装着基板が収納された前記ＲＯＭ装着基板収納ボックスと前記制御基板が収納された前記制御基板収納ボックスとが、互いに異なる色とされているため、前記ＲＯＭ装着基板を素早く見つけることができ、前記ＲＯＭの交換や書き換え等のメンテナンス等の作業効率が向上する。
【図面の簡単な説明】
【図１】本発明の一実施例に係る遊技機の正面図である。
【図２】同遊技機に係る制御系を簡略に示すブロック図である。
【図３】同実施例に係る遊技機の背面図である。
【図４】同遊技機におけるＲＡＭ装着基板の一例の概略平面図である。
【図５】同遊技機の接続部材を示す平面図である。
【図６】同遊技機におけるＲＯＭ装着基板収納ボックスの斜視図である。
【図７】図６のＲＯＭ装着基板収納ボックスにおける封止結合部の断面図である。
【図８】図６のＲＯＭ装着基板収納ボックスの分解斜視図である。
【図９】図６のＲＯＭ装着基板収納ボックスにおけるケース体の斜視図である。
【図１０】図６のＲＯＭ装着基板収納ボックスにおけるカバー体の斜視図である。
【図１１】制御基板収納ボックス一例の分解斜視図である。
【図１２】ＲＯＭ装着基板の他の実施例に係る概略平面図である。
【符号の説明】
１０　遊技機
３０　ＲＯＭ装着基板
３０Ｃ　ＲＯＭ装着基板収納ケース
３１　主制御基板
３２　表示制御基板
３３　ランプ制御基板
３４　音声制御基板
３５　払出制御基板
３１Ｃ〜３５Ｃ　　制御基板収納ボックス
４１　ＲＯＭ装着基板ボックスのケース体
４８　ＲＯＭ装着基板ボックスのケース体側封止結合部
５７　ＲＯＭ装着基板ボックスのカバー体
５８　ＲＯＭ装着基板ボックスのカバー体側封止結合部
【図１】
2004113323.tif 000003
【図２】
2004113323.tif 000004
【図３】
2004113323.tif 000005
【図４】
2004113323.tif 000006
【図５】
2004113323.tif 000007
【図６】
2004113323.tif 000008
【図７】
2004113323.tif 000009
【図８】
2004113323.tif 000010
【図９】
2004113323.tif 000011
【図１０】
2004113323.tif 000012
【図１１】
2004113323.tif 000013
【図１２】
2004113323.tif 000014